(57)【要約】【課題】  専用のキャンセルスイッチを設けることなく、スマート機能の有効／無効（ＯＮ／ＯＦＦ）が切り換え可能なスマートキーシステムを提供する。【解決手段】  スマートＥＣＵ３は、車室外発信機１３から問い合わせ信号を定期的に出力することにより、車両に固有のＩＤコードを記録した携帯機１７との間で無線通信を行ない、車両から所定範囲内に当該車両用の携帯機１７が存在するか否か、ＩＤコードを照合することによって判定し、その判定結果に基づいて、スマートロック制御を行なう。また、携帯機１７に設けられたワイヤレススイッチ１９が操作されることに応じて、ドアをロック状態またはロック解除状態にするワイヤレスドア制御とを行なう。携帯機１７のワイヤレススイッチ１９が長押しされた場合、上記問い合わせ信号を定期的に出力することを停止して、スマートキャンセルモードに移る。【選択図】  図５
2005256472.tif 000002
【特許請求の範囲】
【請求項１】
車載機器から問い合わせ信号を定期的に出力することにより、車両に固有のＩＤコードを記録した携帯機と前記車載機器との間で無線通信を行ない、前記車両から所定範囲内に当該車両用の前記携帯機が存在するか否か、前記ＩＤコードを照合することによって判定し、その判定結果に基づいて、当該車両のドアをロック状態からロック解除状態、もしくは車外からの操作によってロックを解除することが可能なロック解除スタンバイ状態にするスマートロック制御と、
前記携帯機に設けられたワイヤレススイッチが操作されることに応じて、前記ドアをロック状態またはロック解除状態にするワイヤレスドア制御とを行なうように構成され、
前記携帯機の前記ワイヤレススイッチが、前記ワイヤレスドア制御を行なうべき旨の信号が出力される第一の方法とは異なる第二の方法で操作された場合に、前記車載機器から前記問い合わせ信号を定期的に出力することを停止するように構成されていることを特徴とするスマートキーシステム。
【請求項２】
前記携帯機は、前記ワイヤレススイッチのＯＮされ続けている時間が、予め設定された制限時間よりも短いときに前記第一の方法と識別する一方、前記制限時間以上のときに前記第二の方法であると識別し、前記車載機器から前記問い合わせ信号を定期的に出力することを停止するべき旨の信号を出力するように構成されている請求項１記載のスマートキーシステム。
【請求項３】
前記携帯機には、前記ドアをロック状態にするべき旨のドアロック信号が出力されるドアロックスイッチと、前記ドアのロックを解除するべき旨のドアロック解除信号が出力されるドアロック解除スイッチとを含む、複数のスイッチが前記ワイヤレススイッチとして設けられており、
前記携帯機は、それらのワイヤレススイッチが個別にＯＮされた場合に前記第一の方法であると識別して各ワイヤレススイッチに応じた信号を出力する一方、複数のワイヤレススイッチが同時にＯＮされた場合に前記第二の方法であると識別して、前記車載機器から前記問い合わせ信号を定期的に出力することを停止するべき旨の信号を出力するように構成されている請求項１記載のスマートキーシステム。
【請求項４】
前記車載機器は前記車両に備えられる複数の送信機を含み、該送信機から前記問い合わせ信号を前記携帯機に向けて送信可能に構成される一方、
前記車載機器には、前記携帯機からの信号に基づいて前記問い合わせ信号を定期的に出力することを停止するにあたって、全ての前記送信機から前記問い合わせ信号の送信が停止される全キャンセルモードと、一部の前記送信機から前記問い合わせ信号の送信が停止される部分キャンセルモードとが設定されている請求項１ないし３のいずれか１項に記載のスマートキーシステム。
【請求項５】
車載機器から車室内に対して問い合わせ信号を定期的に出力することにより、車両に固有のＩＤコードを記録した携帯機と前記車載機器との間で無線通信を行ない、前記車両の室内に当該車両用の前記携帯機が存在するか否か、前記ＩＤコードを照合することによって判定し、その判定結果に基づいて、前記車両のキーをキーシリンダに挿入することなく当該車両の動力装置の始動を所定のスイッチ操作によって行なえるようにするスマートイグニッション制御と、
前記携帯機に設けられたワイヤレススイッチが操作されることに応じて、車両のドアをロック状態またはロック解除状態にするワイヤレスドア制御とを行なうように構成され、
前記携帯機の前記ワイヤレススイッチが、前記ワイヤレスドア制御を行なうべき旨の信号が出力される第一の方法とは異なる第二の方法で操作された場合に、前記車載機器から前記問い合わせ信号を定期的に出力することを停止するように構成されていることを特徴とするスマートキーシステム。
【発明の詳細な説明】
【技術分野】
【０００１】
本発明は、携帯機と車載機器との間の無線通信により、ドアのロックとロック解除とを自動的に行なったり、実際のキーを使わずにエンジン始動を可能にしたりする機能（いわゆるスマート機能）を提供する、車両用のスマートキーシステムに関する。特に、スマート機能の有効／無効の切換制御に関する。
【背景技術】
【０００２】
ユーザが所持する携帯機（電子キー）と、車両の制御装置（ＥＣＵ）との間で無線通信を行なうことにより、携帯機を所持したユーザが車両に接近したことを検知してドアのロックを自動的に解除したり、逆にユーザが車両から離れたことを検知してドアを自動的にロックしたりする機能を提供するスマートキーシステムは、昨今、多くの車両に採用されつつある。スマートキーシステムが提供するこうした機能は、スマート機能と呼ばれる。
【０００３】
一方、スマート機能のキャンセルを求められる場合がある。具体的には、長時間車両を放置する場合にバッテリ消費を避けたい場合や、ペースメーカ等の医療機器への影響が懸念される場合である。また、保守的なユーザは、何も操作をしないのにドアがロックされたり、ロックが解除されたりすることに、違和感を持つかもしれない。こうした要望に応えるため、従来のスマートキーシステムは、携帯機や車両室内に専用のキャンセルスイッチを設け、スマート機能の有効／無効をユーザが任意に切り換えられるようにしていた。
【特許文献１】特開２００２−２１３１２７号公報
【特許文献２】特開２００２−００４６７５号公報
【発明の開示】
【発明が解決しようとする課題】
【０００４】
しかしながら、スマート機能の有効／無効を切り換えるのは、メカニカルキー（シリンダに挿し込む機械式のキー）を常時使用する少数ユーザや、あるいは長時間車両を放置するユーザに限られる。そのため、わざわざ専用のキャンセルスイッチを設けることは、コスト的に無駄が多い。また、専用のキャンセルスイッチを設けるには、それなりのスペースも必要となってくる。
【０００５】
上記事情に鑑み、本発明は、専用のキャンセルスイッチを設けることなく、スマート機能の有効／無効（ＯＮ／ＯＦＦ）が切り換え可能なスマートキーシステムを提供することを課題とする。
【課題を解決するための手段および発明の効果】
【０００６】
上記課題を解決するために本発明のスマートキーシステムの第一は、車載機器から問い合わせ信号を定期的に出力することにより、車両に固有のＩＤコードを記録した携帯機と車載機器との間で無線通信を行ない、車両から所定範囲内に当該車両用の携帯機が存在するか否か、ＩＤコードを照合することによって判定し、その判定結果に基づいて、当該車両のドアをロック状態からロック解除状態、もしくは車外からの操作によってロックを解除することが可能なロック解除スタンバイ状態にするスマートロック制御と、携帯機に設けられたワイヤレススイッチが操作されることに応じて、ドアをロック状態またはロック解除状態にするワイヤレスドア制御とを行なうように構成され、携帯機のワイヤレススイッチが、ワイヤレスドア制御を行なうべき旨の信号が出力される第一の方法とは異なる第二の方法で操作された場合に、車載機器から問い合わせ信号を定期的に出力することを停止するように構成されていることを主要な特徴とする。
【０００７】
上記本発明は、通常の方法（第一の方法）とは異なる方法（第二の方法）でワイヤレススイッチが操作された場合に、その携帯機から車載機器に対し、スマート機能を無効化するべき旨の信号が送信されるというものである。すなわち、スマート機能（詳しくはスマートロック機能）を無効化するために必要な装備を、携帯機のワイヤレススイッチに兼用した。そのため、専用のキャンセルスイッチ、ワイヤハーネス等の装備を廃止することが可能であり、その分のコスト減を見込める。また、特別な方法（第二の方法）でワイヤレススイッチを操作した場合にのみスマート機能が無効化されるようにすることから、誤操作も生じ難い。
【０００８】
一つの好適な態様において、上記携帯機は、ワイヤレススイッチのＯＮされ続けている時間が、予め設定された制限時間よりも短いときに第一の方法と識別する一方、制限時間以上のときに第二の方法であると識別し、車載機器から問い合わせ信号を定期的に出力することを停止するべき旨の信号を出力するように構成される。簡単には、スイッチ長押しが第二の方法ということである。このようにすれば、誤操作によってスマート機能が無効化される可能性を大きく低減できる。また、スイッチ長押しという単純な方法なので、ユーザにも理解されやすい。
【０００９】
また、他の一つの好適な態様において、上記携帯機には、ドアをロック状態にするべき旨のドアロック信号が出力されるドアロックスイッチと、ドアのロックを解除するべき旨のドアロック解除信号が出力されるドアロック解除スイッチとを含む、複数のスイッチがワイヤレススイッチとして設けられる。そして上記携帯機は、それらのワイヤレススイッチが個別にＯＮされた場合に第一の方法であると識別して各ワイヤレススイッチに応じた信号を出力する一方、複数のワイヤレススイッチが同時にＯＮされた場合に第二の方法であると識別して、車載機器から問い合わせ信号を定期的に出力することを停止するべき旨の信号を出力するように構成される。しばしば、携帯機にはドアロック用のスイッチと、ロック解除用のスイッチとが設けられる。こうした複数のスイッチが同時にＯＮされた場合にのみスマート機能が無効化されるようになっていると、誤操作の起こる可能性をいっそう低減できる。携帯機を普通に使用しているときに、２以上のスイッチ（ボタン）をわざわざ同時に操作したりすることは考えにくいからである。
【００１０】
また、上記車載機器は、たとえば車両の各ドアに設けられるように、複数の送信機を含むものとし、該送信機から問い合わせ信号を携帯機に向けて送信可能に構成することができる。この場合、車載機器には、携帯機からの信号に基づいて問い合わせ信号を定期的に出力することを停止するにあたって、全ての送信機から問い合わせ信号の送信が停止される全キャンセルモードと、一部の送信機から問い合わせ信号の送信が停止される部分キャンセルモードとを設定することができる。こうした構成によれば、ユーザは自分の嗜好にマッチしたスマート機能だけを選んで使用することが可能になる。つまり、ドライバ席のドアだけスマート機能を有効化しておき、他のドアは無効化するといったことが可能になるので、ユーザの利便性が向上する。また、スマート機能の部分利用を可能にする本発明は、バッテリ消費を抑制することにも一役買う。
【００１１】
また、課題を解決するために本発明のスマートキーシステムの第二は、車載機器から車室内に対して問い合わせ信号を定期的に出力することにより、車両に固有のＩＤコードを記録した携帯機と車載機器との間で無線通信を行ない、車両の室内に当該車両用の携帯機が存在するか否か、ＩＤコードを照合することによって判定し、その判定結果に基づいて、車両のキーをキーシリンダに挿入することなく当該車両のエンジン（動力装置）の始動を所定のスイッチ操作によって行なえるようにするスマートイグニッション制御と、携帯機に設けられたワイヤレススイッチが操作されることに応じて、車両のドアをロック状態またはロック解除状態にするワイヤレスドア制御とを行なうように構成され、携帯機のワイヤレススイッチが、ワイヤレスドア制御を行なうべき旨の信号が出力される第一の方法とは異なる第二の方法で操作された場合に、車載機器から問い合わせ信号を定期的に出力することを停止するように構成されていることを主要な特徴とする。
【００１２】
すなわち、前述した第一発明の構成は、いわゆるスマートイグニッション機能を持つスマートキーシステムにそのまま適用できる。これにより、スマートイグニッション機能を無効化するための専用のキャンセルスイッチ、ワイヤハーネス等の装備を廃止することが可能であり、その分のコスト減を見込める。また、第二の方法でワイヤレススイッチを操作した場合にのみスマート機能が無効化されるので、誤操作も生じ難い。また、第一発明のスマートキーシステムと、第二発明のスマートキーシステムとを組み合わせることは、最良の形態の説明より明らかとなる。
【００１３】
なお、“車両のキー”とは、車載機器との無線通信機能を有さないものである。ただし、電気的あるいは磁気的な作用でドアをロックすること、ロックを解除することが可能となるキーを含む概念である。
【発明を実施するための最良の形態】
【００１４】
以下、添付の図面を参照しつつ本発明の実施形態について説明する。
図１は、本発明のスマートキーシステム１の構成を示すブロック図である。図１に示すごとく、スマートキーシステム１は、車両に搭載されるスマートＥＣＵ３と、ユーザが所持するべき携帯機１７（電子キー１７ともいう）を備える。スマートＥＣＵ３には、受信機１１、車室外発信機１３および車室内発信機１５が接続されている。スマートＥＣＵ３は、これらの送受信機を介して携帯機１７との間で無線通信を行なう。送受信機は、アンテナ、変調・復調回路等の公知の無線通信手段を含むものである。
【００１５】
また、スマートＥＣＵ３には、車両のドアハンドルに内蔵されたタッチセンサ５と、ドアのキーシリンダに内蔵されたキー連動スイッチ７と、トリガロックスイッチ９からの信号が、図示しないスイッチ回路等を介して入力されるようになっている。タッチセンサ５は、たとえば静電容量の変化によって、ユーザがドアハンドルに手を掛けたかどうかを検知するものであり、各ドアハンドルに個別に設けられている（内蔵されている）。なお、上記ドアにはトランクのドアが含まれるものとする。
【００１６】
キー連動スイッチ７は、機械式のキー（メカニカルキー）を用いてドアをロックすること又はドアのロックを解除することに応じてＯＮされるスイッチであり、ドア等に設けられたキーシリンダに内蔵されている。トリガロックスイッチ９は、ロック専用のスイッチであり、ロックを解除する機能は持たず、たとえば運転席のドアのハンドル部分、またはドアハンドルの近くに設けられるものである。つまり、トリガロックは、車室外に携帯機１７があり、かつ車室内に携帯機１７が無いことを検知した場合に作動する。
【００１７】
また、スマートＥＣＵ３は、ドアロックコントローラ２１（ドアロックＥＣＵ）、エンジン始動コントローラ２３（エンジンＥＣＵ）に信号を送信する構成となっている。具体的に、スマートＥＣＵ３は、ドアロックコントローラ２１に対し、車両のドアをロック状態またはロック解除状態とする旨の信号を送る。これを受けて、ドアロックコントローラ２１は、ドアをロック状態またはロック解除状態とするためのモータ制御を行なう。ドアのロックとロック解除とを自動で行なう制御は、スマートロック機能と呼ばれる。
【００１８】
また、エンジン始動コントローラ２３に対しては、メカニカルキーを用いることなく、所定のスイッチ操作によってエンジンを始動することを許容する旨の信号を送る。つまり、携帯機１７を所持した運転者は、ハンドル付近に設けられたイグニッションスイッチを操作するだけで、キーを挿し込むことなくエンジンを始動できる。このような機能は、スマートイグニッション機能と呼ばれる。
【００１９】
携帯機１７は、スマートＥＣＵ３との間でデータを送受信可能な携帯型無線装置として構成されたものである。また、携帯機１７は、ワイヤレススイッチ１９を備えている。ワイヤレススイッチ１９は、ユーザがこのスイッチを操作することによって、ドアをロックしたり、ロックを解除したりするものである。つまり、スマートキーシステム１は、上記スマート機能の提供にかかる制御とは別に、ドアをロックまたはロック解除状態にするワイヤレスドア制御を行なう。本実施形態では、部品コスト低減の観点から、スマート機能のためのスマートコントローラと、ワイヤレスドア制御のためのワイヤレスコントローラとを、スマートＥＣＵ３に兼用させているが、スマートコントローラとワイヤレスコントローラとを別々のＥＣＵにて構成するようにしてもよい。
【００２０】
図３に示すごとく、携帯機１７のワイヤレススイッチ１９は、ドアロックスイッチ１９ａ、ドアロック解除スイッチ１９ｂおよびトランクロック解除スイッチ１９ｃによって構成されている。各スイッチ１９ａ，１９ｂ，１９ｃの操作信号は、スイッチ回路部１９ｄを介してマイクロコンピュータ１７ａに入力されるようになっている。マイクロコンピュータ１７ａは、車両の１台１台に固有のＩＤコードを記録するためのメモリ（図示省略）を有する。メモリに記録されたＩＤコードは、各スイッチ１９ａ，１９ｂ，１９ｃの操作信号とともに、無線通信回路部１７ｂとアンテナ１７ｃを介してスマートＥＣＵ３に送信される。無線通信回路部１７ｂは、変調・復調回路等の公知の無線通信手段を含むものである。また、マイクロコンピュータ１７ａは、スマートＥＣＵ３から送られてくる問い合わせ信号によって起動し、上記ＩＤコードを応答信号として送信する。
【００２１】
図２に示すごとく、車室外発信機１３は、車両の運転席、助手席および左右後部座席への乗降用ドア、さらには車両のトランク開閉用ドアに設けられている。多くの場合、車室外発信機１３は、ドアのハンドル部品に内蔵されており、その周囲に定期的に第１の問い合わせ信号を送信する。第１の問い合わせ信号は、ドアから７０ｃｍ〜１ｍ程度の範囲（第１のキー応答エリアＳＡ）内にのみ届くよう、その出力が調整される。したがって、第１のキー応答エリアＳＡ内に存在する携帯機１７だけが、第１の問い合わせ信号を受信できる。第１の問い合わせ信号を受信した携帯機１７は、メモリに記録されているＩＤコードを、応答信号として受信機１１に向けて送信する。
【００２２】
また、車室内発信機１５は、たとえば室内中央のルームランプ部分に内蔵されており、車室内に定期的に第２の問い合わせ信号を送信する。第２の問い合わせ信号は、車室内の所定範囲（第２のキー応答エリアＴＡ）にのみ届くよう、その出力が調整される。したがって、第２のキー応答エリアＴＡ内（要するに車内）に存在する携帯機１７だけが、第２の問い合わせ信号を受信できる。第２の問い合わせ信号を受信した携帯機１７は、メモリに記録されているＩＤコードを、応答信号として受信機１１に向けて送信する。
【００２３】
受信機１１は、たとえば運転席前方のルームミラーに組み込まれており、キー応答エリアＳＡ，ＴＡ内の携帯機１７から質問信号に応答して送信されてくる応答信号を受信して、携帯機１７に固有のＩＤコードを復号する。もちろん、応答信号には、携帯機１７が第１の応答エリアＳＡに存在するのか、第２の応答エリアＴＡに存在するのかを識別可能にするデータが含まれることとなる。
【００２４】
図４に、スマートキーシステム１の基本動作のフローチャートを示す。このフローチャートではスマートロック処理のうち、ドアのロック解除にかかる部分を示している。まず、Ｓ１においてスマートＥＣＵ３は、ドアがロック状態であるか否か判断する。ドアがロック状態である場合には、図２で説明したように、車室外発信機１３から第１の問い合わせ信号を送信して、携帯機１７の探索を行なう（Ｓ２）。車外発信機１３から第１の問い合わせ信号を出力するべき周期は、予め設定されたものであり、スマートＥＣＵ３によって管理される。なお、第１の問い合わせ信号は、エンジンが掛かっているときには、送信を停止するようにすることができる。たとえば、第１の問い合わせ信号による車室外照合は、エンジンオフかつ車室内に携帯機１７が無くかつドアが開放の場合に開始される。あるいは、ドアロック時に開始される。逆に、エンジン作動中、単にドアが開放したときには車室外照合を停止する。
【００２５】
Ｓ２において、第１の問い合わせ信号の送信を行なったのち、車両付近すなわち第１の応答エリアＳＡに当該車両用の携帯機１７が存在するかどうかを判断する（Ｓ３）。車両が駐車中であり、携帯機１７を所持するユーザが車両から離れているときは、Ｓ２およびＳ３の処理が繰り返されることとなる。一方、第１の応答エリアＳＡ内に携帯機１７が侵入すると、携帯機１７は、第１の問い合わせ信号を受信して、固有のＩＤコードを含む応答信号を車両の受信機１１に送信する。受信機１１は、携帯機１７からの応答信号を復号し、スマートＥＣＵ３に送る。スマートＥＣＵ３は、復号されたＩＤコードを自身のメモリに記録されたコードと照合することにより、第１の応答エリアＳＡ内の携帯機１７が当該車両用のものであるかどうかを判定し、携帯機１７が当該車両用のものであれば、ドアをアンロックスタンバイ状態とする（Ｓ４）。アンロックスタンバイ状態（ロック解除スタンバイ状態）は、ユーザがドアハンドルに触れることで、ドアのロックが解除される状態である。もちろん、実際にロックを解除するようにしても構わない。その場合、ドアが実際に開放されないときには、再度ロックをする制御を行なうこととなる。
【００２６】
ドアがアンロックスタンバイ状態となってから一定時間内（Ｔ１秒内）に、ユーザがドアハンドルに触れ、その旨をタッチセンサ５が検知した場合には、タッチセンサ５からスマートＥＣＵ３に検知信号が入力される。スマートＥＣＵ３は、ドアロックコントローラ２１に対してロックを解除すべき旨の信号を送る。この結果、運転席のドアのロックが解除される（Ｓ５〜Ｓ７）。運転席のドアのロックが解除された後、一定時間内（Ｔ２秒内）に、実際にドアが開放されたかどうかが判断される（Ｓ８，Ｓ９）。運転席のドアが開放されれば、Ｓ１０において、全席のドアのロックを解除する。他方、Ｔ２秒内にドアが実際に開放されない場合には処理を終了する。これに伴って、アンロックスタンバイ状態は解除される。
【００２７】
なお、後車時のドアロックの方法としては、携帯機１７を所持したユーザが、トリガロックスイッチをＯＮするによりドアをロックする方法、携帯機１７のドアロックスイッチ１７ａをＯＮすることによりドアロック信号を送信してドアをロックする方法（いわゆるキーレスエントリー）、そしてスマートＥＣＵ３が、第１の応答エリアＳＡおよび第２の応答エリアＴＡのいずれにも、携帯機１７が存在しないことを確認して自動的にドアロックを行なう方法（オートロック）が、単独で、又は併用にて採用される。
【００２８】
ところで、本発明のスマートキーシステム１においては、スマート機能をキャンセルするための専用スイッチを設けていない。その代わりに、図３で説明した携帯機１７のワイヤレススイッチ１９を、スマート機能の有効／無効の切換スイッチに兼用している。既に説明してきたように、各スイッチ１９ａ，１９ｂ，１９ｃが個別にＯＮされると、それらに応じた信号（ドアロック信号、ドアロック解除信号、トランクロック解除信号）がスマートＥＣＵ３に送信される。
【００２９】
さらに、本発明のスマートキーシステム１では、通常の操作信号が出力される方法（第一の方法）とは別の方法（第二の方法）で携帯機１７のボタン操作が行なわれた場合、スマート機能を無効化すべき旨の信号がスマートＥＣＵ３に送信されるようになっている。たとえば、スイッチを短く１回押すのが第一の方法であるとすれば、第二の方法には（ａ）スイッチ長押し（ｂ）スイッチ同時押し（ｃ）それらの組み合わせ等を例示できる。以下、いくつかの態様についてフローチャートを参照しつつ説明する。
【００３０】
図５は、スマート機能の有効／無効切換制御を示すフローチャートであり、図５（ａ）は携帯機１７のマイクロコンピュータ１７ａが行なう処理、図５（ｂ）はスマートＥＣＵ３が行なう処理を表している。図５（ａ）に示すごとく、携帯機１７のドアロックスイッチ１９ａが操作された場合、その操作が長押しか否か判断される（ＳＡ１）。図３でいうと、マイクロコンピュータ１７ａは、スイッチ回路１９ｄへのドアロックスイッチ１９ａの入力が一定時間以上ＯＮであるか否かを判断する。その判断に応じて、スマート機能の有効／無効を切り換えるべき旨のスマート切換信号と、通常のドアロック信号とのいずれかを固有のＩＤコードとともに送信する（ＳＡ２，ＳＡ３）。
【００３１】
一方、何らかの信号を受信したスマートＥＣＵ３は、自身のメモリに記録されているＩＤコードと、送られてきた信号に含まれるＩＤコードとを照合する。ＩＤコードが一致する場合に、図５（ｂ）の信号受信時処理に移る。該信号受信時処理でスマートＥＣＵ３は、送られてきた信号の種類を判断し、受信した信号に応じた処理を行なう。受信したのがスマート切換信号の場合、そのときのスマート機能の有効／無効を判断し、有効である場合には無効に切り換える（ＳＢ２，ＳＢ３）。これにより、スマートＥＣＵ３は、車室外および車室内の両方に関し、問い合わせ信号を定期的に出力すること（図４のスマート制御）を中止するスマートキャンセルモードに移る。逆に、ＳＢ２の時点でスマート機能が無効（スマートキャンセルモード）の場合には、スマート機能を有効化する。このように、図５の実施形態によれば、ドアロックスイッチ１９ａの長押しによって、スマート機能の有効／無効が交互に切り換わることになる。
【００３２】
一方、受信した信号が、問い合わせ信号に対する応答信号である場合には、スマートＥＣＵ３は、図４に代表されるスマート制御処理を行なう（ＳＢ５，ＳＢ６）。それ以外の場合には、操作されたスイッチに応じたコマンドをドアロックコントローラ２１に対して送信する。なお、ドアロックスイッチ１９ａの代わりに、他のスイッチにスマート有効モードとスマートキャンセルモードとの切換機能を持たせることもできる。たとえば、トランクロック解除スイッチ１９ｃは、実際の使用頻度が低いと考えられるので、誤操作を防ぐ観点から好適である。
【００３３】
また、図５の実施形態では、スマートロック機能とスマートイグニッション機能とを区別していない。ただ、スマートロック機能に関していえば、図２で示すように複数の乗降用ドアと、トランク用ドアに働くものであるから、こうした点を考慮すると、各ドアを個別的にスマート有効モードとしたり、スマートキャンセルモードとしたりすることを考え得る。これによれば、運転席（Ｄ席ともいう）のドアが開けば十分であるとか、全ドアにスマートロック機能が働いていないと不十分であるとか、ユーザの多用なニーズに応え得るスマートキーシステムを提供できる。
【００３４】
そのような実施形態を示すのが図６のフローチャートであり、スマートＥＣＵ３で実行される処理を示している。何らかの信号を受信したときから、図６の信号受信時処理が開始されるまでは、図５（ｂ）で既に説明した通りである。また、スマート切換信号以外の受信信号に応じた処理を実行するステップ（ＳＤ１，ＳＤ２）も、図５（ｂ）の説明を援用可能である。
【００３５】
スマート切換信号を受信したスマートＥＣＵ３は、ＳＤ３において、スマートロック機能が全ドア有効かどうか判断する。全ドア有効の場合には、ＳＤ４に進み、Ｄ席のドアを除きスマートロック機能を無効化する。つまり、Ｄ席のみスマートロック機能が有効な部分キャンセルモードに移行する。一方、既にＤ席のみ有効な部分キャンセルモードのときは、Ｄ席を無効化し（ＳＤ５，ＳＤ６）、全キャンセルモードに移る。
【００３６】
さらに、全ドアのスマートロック機能が無効な全キャンセルモードのときは、全ドアのスマートロック機能が有効なスマート有効モードに移行する（ＳＤ７）。このように、スマートＥＣＵ３は、複数のモードを自身のメモリ（モード記録手段）を用いて管理するとともに、スマート切換信号を受信する度に、モードを記録したメモリを書き換えることで、予め定められた順序にてモードの切り換え制御を行なう。
【００３７】
また、図５の実施形態では、携帯機１７の複数のワイヤレススイッチ１９ａ，１９ｂ，１９ｃのうち、一つのスイッチだけを用いてスマート有効モードとスマートキャンセルモードとの切換を行なうようにしたが、各スイッチに役割を割り振ることも可能である。たとえば、一のスイッチを長押しするとスマートロック機能を無効化するべき旨の信号が送信され、他の一つのスイッチを長押しするとスマートイグニッション機能を無効化するべき旨の信号が送信され、さらに他の一つのスイッチを長押しすると両スマート機能を有効化するべき旨の信号が送信される、といった例を示せる。こうした構成によれば、どの機能が有効でどの機能が無効なのか判らなくなるといった混乱が、ユーザに生じる可能性を小さくできる。
【００３８】
また、前述したように、ワイヤレススイッチ１９の特別な操作方法（第二の方法）には、複数スイッチの同時押しを示せる。図７は、携帯機１７で実行されるスイッチ操作時処理を示すフローチャートである。何れかのスイッチが操作されることに応じて、携帯機１７のマイクロコンピュータ１７ａは、ドアロックスイッチ１９ａとトランクロック解除スイッチ１９ｃの同時押しか否か、あるいはドアロック解除スイッチ１９ｂとトランクロック解除スイッチ１９ｃの同時押しか否かを、スイッチ回路１９ｄへの各スイッチ１９ａ，１９ｂ，１９ｃの入力に基づいて判断する（ＳＣ１，ＳＣ３）。
【００３９】
ドアロックスイッチ１９ａとトランクロック解除スイッチ１９ｃが共にＯＮ入力のときは、ＳＣ２に進んでスマート無効化信号を送信する。他方、ドアロック解除スイッチ１９ｂとトランクロック解除スイッチ１９ｃがＯＮ入力のときは、ＳＣ４に進んでスマート有効化信号を送信する。いずれでもない場合には、各スイッチ操作に応じた信号（ドアロック信号、ドアロック解除信号、トランクロック解除信号）を送信する。
【００４０】
以上、本明細書中ではいくつかの実施形態について説明を行なったが、要旨を逸脱しない範囲内にて、それらの実施形態を相互に組み合わせた実施形態が発明の概念に含まれることに言及しておく。
【図面の簡単な説明】
【００４１】
【図１】スマートキーシステムの概略を示すブロック図。
【図２】無線通信エリアを示す模式図。
【図３】携帯機の構成を示すブロック図。
【図４】スマートキーシステムの基本動作を示すフローチャート。
【図５】スマート機能の有効／無効切換制御を示すフローチャート。
【図６】図５の変形例を示すフローチャート。
【図７】スマート機能の有効／無効切換制御の別実施形態を示すフローチャート。
【符号の説明】
【００４２】
１  スマートキーシステム
３  スマートＥＣＵ
１３  車室外発信機
１５  車室内発信機
１７  携帯機
１９ａ  ドアロックスイッチ
１９ｂ  ドアロック解除スイッチ
１９ｃ  トランクロック解除スイッチ
【図１】
2005256472.tif 000003
【図２】
2005256472.tif 000004
【図３】
2005256472.tif 000005
【図４】
2005256472.tif 000006
【図５】
2005256472.tif 000007
【図６】
2005256472.tif 000008
【図７】
2005256472.tif 000009